(57)【要約】【課題】ビデオアプリケーションの類似・非類似を判定する手段、及び又は情報を備えており、製造費用の低価格化、さらにはアプリケーション切換え時間の削減を図る。【解決手段】この発明では、第１のビデオアプリケーションによる第１のコンテンツと、前記第１のビデオアプリケーションがベースとなり機能制限をした第２のビデオアプリケーションによる第２のコンテンツとのいずれか一方が記録された情報記録媒体からいずれをも読み出す再生方法において、前記情報記録媒体には記録されたコンテンツが第１、第２のビデオアプリケーションのうち、いずれに対応するものであるかを判別する識別フラグを管理情報内に記録し、再生装置は前記識別フラグを判別して前記第１又は第２のコンテンツに対応してビデオアプリケーションの機能制限の解除若しくはこの機能制限を伴う情報処理を実行する。【選択図】図７
2009266293.tif 000002
【特許請求の範囲】
【請求項１】
第１のビデオアプリケーションによる第１のビデオアプリケーションコンテンツと、前記第１のビデオアプリケーションがベースとなり機能制限をした第２のビデオアプリケーションによる第２のビデオアプリケーションコンテンツとのいずれか一方が記録された情報記録媒体から情報を読み取り、前記第１と第２のビデオアプリケーションコンテンツのいずれをも読み出すことが可能な再生方法において、
前記情報記録媒体には、記録されたビデオアプリケーションコンテンツが第１、第２のビデオアプリケーションのうち、いずれに対応するものであるかを判別する識別フラグを管理情報内に記録しておき、
前記再生方法は、前記識別フラグを判別して前記第１又は第２のビデオアプリケーションコンテンツに対応してビデオアプリケーションの機能制限の解除若しくはこの機能制限を伴う情報処理を実行することを特徴とする情報再生方法。
【請求項２】
前記第１と第２のビデオアプリケーションコンテンツは、前記情報記録媒体に異なる変調方式で変調されて記録された情報であることを特徴とする請求項１記載の情報再生方法。
【請求項３】
互いに異なる変調方式で変調されて記録された第１と第２のビデオアプリケーションコンテンツのいずれも読取ることができる情報再生装置において、
読取った前記第１または第２のビデオアプリケーションコンテンツの管理情報を読取る読み取り手段と、
前記管理情報の中のビデオアプリケーションを識別した識別フラグの内容が、第１と第２のビデオアプリケーションのいずれを示しているか判定するアプリケーション判定手段と、
アプリケーション判定手段の結果が前記第２のビデオアプリケーションを示すときは、前記第１のビデオアプリケーションの一部機能を制限して第２のビデオアプリケーションとして実行するアプリケーション実行手段と、
を具備したことを特徴とする情報再生装置。
【請求項４】
前記機能が制限されている情報は、ビデオ・マネージャ・メニュー用拡張ビデオ・オブジェクトセット及びその管理情報であり、アプリケーション実行手段は、前記第２のビデオアプリケーションにより、前記第２のビデオアプリケーションコンテンツのタイトル用ビデオ・オブジェクトを再生することを特徴とする請求項３記載の情報再生装置。
【請求項５】
データ領域内のビデオ・マネージャ領域とビデオ・タイトル・セット記録領域を用いてビデオアプリケーションによるビデオアプリケーションコンテンツが記録された情報記録媒体において、
第１のビデオアプリケーションによる第１のビデオアプリケーションコンテンツと、前記第１のビデオアプリケーションがベースとなり機能制限をした第２のビデオアプリケーションによる第２のビデオアプリケーションコンテンツとのいずれか一方が記録され、
記録されているビデオアプリケーションコンテンツ内の管理情報には、前記記録されているビデオアプリケーションコンテンツが第１又は第２のビデオアプリケーションのいずれに対応するものであるかを示す識別フラグが記述されていることを特徴とする情報記録媒体。
【請求項６】
前記機能制限されている情報は、ビデオ・マネージャ・メニュー用拡張ビデオ・オブジェクトセット及びその管理情報であることを特徴とする請求項５記載の情報記録媒体。
【発明の詳細な説明】
【技術分野】
【０００１】
この発明は、情報再生方法と情報再生装置及び情報記録媒体に関するもので、情報記録媒体に情報を記録するための変調方式として複数の異なる変調方式が存在し、しかも、複数のビデオアプリケーションが存在する場合、この複数のビデオアプリケーションが類似している条件のもとで採用されて有効な発明である。
【背景技術】
【０００２】
従来、デジタル・バーサタイル・ディスク（ＤＶＤ）が開発され、その後、さらに高品位の映像情報を提供できる高画質用の光ディスク（例えば、ＨＤ ＤＶＤ、ブルーレイを用いるディスク等である）が開発されている。将来にはさらなる高画質用のディスクがさらに開発されることも考えられる。
【０００３】
このような光ディスクの中でたとえば特許文献１に記載されるように、情報を記録するための変調方式として複数種類が存在する。例えば情報を記録する際に８ビットを１２ビットのコードに変換して記録する変調方式、あるいは４ビットを６ビットのコードに変換して記録する変調方式などがある。
【０００４】
再生装置としては上記の変調方式に対して、いずれの変調方式であってもデータ読み取りが可能なディスクドライブ装置が望まれることが予想される。この種のディスクドライブ装置は、ディスクのディスクＩＤと相俟って動作するディスク識別機能を有する。従来の装置は、ディスクの種類を識別すると、そのデータ処理アプリケーション（ビデオアプリケーション）をディスクの種類に対応したものに全面的に切換えて、読取ったデータに対応したデータ再生処理を実行している。
【特許文献１】特開平２００４−２１３７６７号
【発明の開示】
【発明が解決しようとする課題】
【０００５】
上記したように、従来の再生装置であると、ディスクの種類を識別した後そのデータ処理アプリケーションをディスクの種類に対応したものに全面的に切換えて、読取ったデータに対応したデータ再生処理を実行している。しかしながら、この方法であると、独立したビデオアプリケーションを複数用意しなければならない。このためにビデオアプリケーションの切り替えに時間がかかるし、また費用も増大するなどの問題がある。
【０００６】
一方では、ビデオアプリケーションに注目すると、変調方式の異なるビデオシステム間で、ビデオアプリケーションが一部相違するのみで、ほとんど類似することも考えられる。このような場合に従来の如く、夫々に対応するように複数のビデオアプリケーションを準備し、この複数のビデオアプリケーションを切換えて使用する方式では費用の増大が生じ、またアプリケーション切り替え時間が必要となる。
【０００７】
そこでこの発明は、ディスク識別を行なうことは勿論のこと、ビデオアプリケーションの類似・非類似を判定する手段、及び又は情報を備えており、製造費用の低価格化、さらにはアプリケーション切換え時間の削減を図ることができる情報再生方法と情報再生装置及び情報記録媒体を提供することを目的とする。
【課題を解決するための手段】
【０００８】
この発明は上記の目的を達成するために、第１のビデオアプリケーションによる第１のビデオアプリケーションコンテンツと、前記第１のビデオアプリケーションがベースとなり機能制限をした第２のビデオアプリケーションによる第２のビデオアプリケーションコンテンツとのいずれか一方が記録された情報記録媒体から情報を読み取り、前記第１と第２のビデオアプリケーションコンテンツのいずれをも読み出すことが可能な再生方法において、前記情報記録媒体には、記録されたビデオアプリケーションコンテンツが第１、第２のビデオアプリケーションのうち、いずれに対応するものであるかを判別する識別フラグを管理情報内に記録しておき、前記再生装置は、前記識別フラグを判別して前記第１又は第２のビデオアプリケーションコンテンツに対応してビデオアプリケーションの機能制限の解除若しくはこの機能制限を伴う情報処理を実行することを特徴とする。
【発明の効果】
【０００９】
上記の装置及び方式によると、ビデオアプリケーションの類似・非類似を判定する手段、或いは情報を備えており、製造費用の低価格化、さらにはアプリケーション切換え時間の削減を図ることができる。管理情報内に識別フラグが存在した場合、ビデオアプリケーションコンテンツが例えばハードディスクに一旦蓄積された後、再生装置で再生されるような場合に有効である。また物理的なディスクＩＤが存在しない状態でビデオアプリケーションコンテンツがライン入力、或いはネットワーク通信で伝送されてきたとき、このビデオアプリケーションコンテンツが再生されるような場合に有用である。
【発明を実施するための最良の形態】
【００１０】
以下、図面を参照しながら本発明の実施の形態を参照して説明する。図１は、本発明が適用された情報記録媒体再生装置の動作概要を示すイメージ図である。
【００１１】
図１において、同種の情報記録媒体１（１ａまたは１ｂ）にはそれぞれ異なる変調方式で異なるビデオアプリケーションコンテンツが記録されている。この２種類のビデオアプリケーションコンテンツは、一つは、例えば高密度（例えばHD DVD-Video）規格のスタンダードコンテンツ（Standard Content）の機能通常版ビデオアプリケーションコンテンツ（ａ）であり、もう一つは、この機能通常版ビデオアプリケーションコンテンツをベースに機能制限をした機能制限版ビデオアプリケーションコンテンツ（ｂ）である。
【００１２】
なおビデオアプリケーションコンテンツとは、ビデオオブジェクトとこのビデオオブジェクトの再生処理機能を実行させる管理情報を含むものとして説明している。ビデオオブジェクトはビデオデータ、オーディオデータを含むものであり、再生処理機能はビデオ属性情報、アドレス情報、再生手順情報などに基づいて実行される機能である。
【００１３】
ここでは一例としてHD DVD-Video規格を述べたが、必ずしもこの規格に限定される必要はない。例えばあるＡ規格とＢ規格が非常に類似した２種類のビデオアプリケーションであり、一方がフル機能、他方が一部機能制限されたような関係にあるときは、本発明が適用可能である。但し、再生装置は複数種類のビデオアプリケーションが記録された記録媒体、あるいは複数種類のビデオアプリケーションの信号を受信し処理できる装置であることが必要である。
【００１４】
図１に示した実施形態においては、機能通常版ビデオアプリケーション（ａ）の場合のコンテンツ２ａは、Ａ変調方式３ａで変調され、情報記録媒体１ａへ記録されている。同様に、機能限定版ビデオアプリケーション（ｂ）の場合のコンテンツ２ｂは、Ｂ変調方式３ｂで変調され、情報記録媒体１ｂへ記録されている。
【００１５】
Ａ変調方式３ａは、例えば８ビットを１２ビットのコードに変換して記録する方式であり、Ｂ変調方式３ｂは、例えば４ビットを６ビットのコードに変換して記録する方式である。再生装置４は、両方のビデオアプリケーションの読み出し再生が可能な再生装置である。
【００１６】
情報記録媒体１ａが再生装置４に挿入された場合は、復調処理５ａが行われ、コンテンツ２ａが取り出され、情報記録媒体１ｂが再生装置４に挿入された場合は、復調処理５ｂが行われ、コンテンツ２ｂが取り出される。これらのビデオアプリケーションは、変調方式が異なるだけで、取り出したコンテンツが、機能通常版ビデオアプリケーション（ａ）の場合のコンテンツ２ａなのか、機能制限版ビデオアプリケーション（ｂ）の場合のコンテンツ２ｂなのか判別できない。つまりコンテンツのみでは機能通常版ビデオアプリケーション（ａ）のコンテンツ２ａなのか、機能制限版ビデオアプリケーション（ｂ）のコンテンツなのか判明できない。そこで本発明では、後述する識別手段を有する。
【００１７】
図２は本発明の再生装置を示すブロック図である。図２において、再生装置は、大別すると基本的に、制御ブロック２０及び再生ブロック３０を有する。情報記録媒体１に記録されたビデオアプリケーションコンテンツは、ディスクドライブ部２０１の光ピックアップで読み出され、再生ブロック３０に供給される。再生ブロック３０内では、データプロセッサ部３００で、ビデオアプリケーションコンテンツの復調処理、エラー訂正処理が施され、ＭＰＥＧプログラムストリームとして抽出される。分離部（ＤＭＵＸ）３０１においては、ＭＰＥＧプログラムストリームを、ビデオ、副映像、オーディオの各パックに分離し、ビデオパックはビデオデコーダ部３０２へ、副映像パックは副映像デコーダ部３０３へ、オーディオパックはオーディオデコーダ部３０４へデータ送信される。
【００１８】
ビデオデコーダ部３０２では、ビデオパック内のエレメンタリデータをデコードし、ビデオプロセッサ部３０５へ送信する。また副映像デコーダ部３０３では、副映像パック内のエレメンタリデータをデコードし、ビデオプロセッサ部３０５へ送信する。ビデオプロセッサ部３０５では、デコードされたビデオと副映像のデータを重畳し、Ｄ／Ａ変換部３０６でアナログ変換してビデオ出力端子に出力する。オーディオデコーダ部３０４では、オーディオパック内のエレメンタリデータをデコードし、Ｄ／Ａ変換部３０６でアナログ変換してオーディオ出力端子に出力する。
【００１９】
制御ブロック２０のマイクロプロセッシングユニット（ＭＰＵ）部２０２は、リードオンリーメモリ（ＲＯＭ）部２０３に格納されるプログラムにより、再生ブロック３０を含むシステム全体を制御する。また、キー入力部２０５から入力されるユーザの入力指示により、再生・停止などの処理を実行する。メモリ部２０４は、ステータス情報などを一時的に格納したり、システム情報を不揮発メモリに格納する。
【００２０】
図３は本発明における情報記録媒体１に記録される情報内容について説明する図である。図３に示す様に、情報記録媒体１は内周側からリードイン領域１０、ボリューム／ファイル構造情報領域１１、データ領域１２、リードアウト領域１３が存在する。
【００２１】
上記データ領域１２内には図３（ｃ）に示すようにビデオ・データ記録領域２０、その他の記録領域２１と一般のコンピュータ情報記録領域２２の混在配置が許されている。ビデオデータ記録領域２０内は図３（ｄ）に示すようにビデオ・データ記録領域２０内に記録されたＤＶＤビデオ・コンテンツ全体に関する管理情報が記録されたビデオ・マネージャ記録領域（VMG: Video Manager）３０と、各タイトル毎にまとめられ、各タイトル毎の管理情報と映像情報（ビデオ・オブジェクト）がまとめて記録されたビデオ・タイトル・セット記録領域（VTS: Video Title Set）４０が存在する。
【００２２】
ビデオ・マネージャ記録領域３０の中は、図３（ｅ）に示すようにビデオ・データ記録領域２０全体に関わる管理情報を示すビデオ・マネージャ情報（VMGI: Video Manager Information）３１、とそのバックアップ用としてビデオ・マネージャ情報３１と全く同じ情報が記録されたビデオ・マネージャ情報バックアップ（VMGI_BUP）３４、メニュー言語を選択するためのファーストプレイPGCメニュー用拡張ビデオオブジェクト（FP_PGCM_EVOB）３２、ビデオ・データ記録領域２０全体で利用されるメニュー背景画面が記録されたビデオ・マネージャ・メニュー用拡張ビデオ・オブジェクトセット（VMGM_EVOBS）３３が存在する。
【００２３】
各タイトル毎の管理情報と映像情報（ビデオ・オブジェクト）がまとめて記録された１個のビデオ・タイトル・セット記録領域（VTS: Video Title Set）４０の内部は、図３（ｆ）に示すようにビデオ・タイトル・セット記録領域４０内の全コンテンツに対する管理情報が記録されているビデオ・タイトル・セット情報（VTSI）４１とそのバックアップ・データでビデオ・タイトル・セット情報４１と全く同じ情報が記録されたビデオ・タイトル・セット情報バックアップ（VTSI_BUP）４４、このビデオ・タイトル・セット内で利用されるメニュー背景画面が記録されたメニュー用拡張ビデオ・オブジェクト・セット（VTSM_EVOBU）４２、このビデオ・タイトル・セット内でのビデオ・オブジェクト（タイトルの映像情報）データが記録されているタイトル用拡張ビデオ・オブジェクト・セット（VTSTT_EVOBS）４３などが存在する。
【００２４】
図４(a)と図４(b)は、本発明に係るビデオ・マネージャ（VMG）記録領域３０の機能通常版と、機能限定版のビデオアプリケーションコンテンツの内容を比較説明する図である。
【００２５】
図４（ａ）は、機能通常版ビデオアプリケーションコンテンツの場合のビデオ・マネージャ記録領域３０の記録内容であり、図３で説明した内容を有する。これに対して、図４（ｂ）は、機能限定版ビデオアプリケーションコンテンツの場合のビデオ・マネージャ記録領域３０の記録内容であり、図４（ａ）の内容から制限されており、ビデオマネージャメニュー用拡張ビデオ・オブジェクトセット３３の記録が制限されている。
【００２６】
図５は、本発明におけるビデオ・マネージャ情報（VMGI）３１の機能通常版と、機能限定版のビデオアプリケーションコンテンツの内容を比較説明する図である。図５（ａ）は、機能通常版ビデオアプリケーションコンテンツの場合のビデオ・マネージャ情報（VMGI）３１の記録内容であり、ビデオ・マネージャ情報管理テーブル(VMGI_MAT)３１０ａ、タイトル・サーチポインタ・テーブル(TT_SRPT)３１１ａ、ビデオ・マネージャ・メニューPGCIユニット・テーブル(VMGM_PGCI_UT)３１２ａ、パレンタル・管理情報テーブル(PTL_MAIT)３１３ａ、ビデオ・タイトル・セット属性情報テーブル(VTS_ATRT)３１４ａ、テキスト・データ・マネージャ(TXTDT_MG)３１５ａ、FP_PGCメニューセル・アドレス・テーブル(FP_PGCM_C_ADT)３１６ａ、FP_PGCメニューEVOBUアドレス・マップ(FP_PGCM_EVOBU_ADMAP)３１７ａ、ビデオ・マネージャ・メニューセル・アドレス・テーブル(VMGM_C_ADT)３１８ａ及びビデオ・マネージャ・EVOBUアドレス・マップ(VMGM_EVOBU_ADMAP)３１９ａから構成される。
【００２７】
これに対して、図５（ｂ）は、機能限定版ビデオアプリケーションコンテンツの場合のビデオ・マネージャ情報（VMGI）３１の記録内容であり、ビデオ・マネージャ情報管理テーブル(VMGI_MAT)３１０ｂ、タイトル・サーチポインタ・テーブル(TT_SRPT)３１１ｂ、パレンタル・管理情報テーブル(PTL_MAIT)３１３ｂ、ビデオ・タイトル・セット属性情報テーブル(VTS_ATRT)３１４ｂ、テキスト・データ・マネージャ(TXTDT_MG)３１５ｂ、FP_PGCメニューセル・アドレス・テーブル(FP_PGCM_C_ADT)３１６ｂ及びFP_PGCメニューEVOBUアドレス・マップ(FP_PGCM_EVOBU_ADMAP)３１７ｂから構成され、ビデオ・マネージャ・メニューPGCIユニット・テーブル(VMGM_PGCI_UT)３１２ｂ、ビデオ・マネージャ・メニューセル・アドレス・テーブル(VMGM_C_ADT)３１８ｂ及びビデオ・マネージャ・EVOBUアドレス・マップ(VMGM_EVOBU_ADMAP)３１９ｂは記録されない。
【００２８】
図６は、本発明における主要な情報であるビデオアプリケーション識別情報を示す図である。図６に示す様に、ビデオアプリケーション識別情報は、ビデオ・マネージャ情報管理テーブル(VMGI_MAT)３１０ａ又は３１０ｂの中の規格BOOKバージョン情報領域中のビット１５に識別情報（CID）６０として指示され、以下の値を有する。つまりこの識別情報は、基本的にはビデオコンテンツを再生するに必要な属性情報などが含まれる管理情報の中に記録されている。
【００２９】
識別情報（CID）
・・・０ｂ：機能通常版ビデオアプリケーション
１ｂ：機能制限版ビデオアプリケーション
図７は、本発明のビデオアプリケーション識別情報を用いた識別フローである、以下各ステップＳ１１−Ｓ１６について説明する、
（Ｓ１１）機能通常版ビデオアプリケーションディスク（情報記録媒体１a）又は機能限定版ビデオアプリケーションディスク（情報記録媒体１ｂ）を再生装置（再生装置）に挿入する。
【００３０】
（Ｓ１２）ビデオ・マネージャ情報管理テーブル(VMGI_MAT)３１０ａ又は３１０ｂを読み出す。このブロックは、読取った第１または第２のビデオアプリケーションコンテンツの管理情報を読取る読み取り手段として機能する。
【００３１】
（Ｓ１３）（Ｓ１２）で読み出したビデオアプリケーション識別情報（CID）６０のビットをチェックする。
【００３２】
（Ｓ１４）対応ビットが１か否か確認する。１の場合（はいの場合）、処理（Ｓ１５）を実行し、０の場合（いいえの場合）、処理（Ｓ１６）を実行する。このＳ１３，Ｓ１４のブロックは、管理情報の中のビデオアプリケーションを識別した識別フラグの内容が、第１と第２のビデオアプリケーションのいずれを示しているか判定するアプリケーション判定手段として機能している。
【００３３】
（Ｓ１５）機能制限版ビデオアプリケーションと判断し、制限される機能の処理は実行しない。このＳ１５のブロックは、アプリケーション判定手段の結果が第２のビデオアプリケーションを示すときは、第１のビデオアプリケーションの一部機能を制限して第２のビデオアプリケーションとして実行するアプリケーション実行手段として機能している。
【００３４】
（Ｓ１６）機能通常版ビデオアプリケーションと判断し、処理の制限は行わず、通常処理を実行する。
【００３５】
上記した実施形態によれば、ビデオアプリケーションの識別情報を有することで、異なる変調方式で情報記録媒体に記録されたコンテンツを夫々対応する復調処理で取得することになるが、取得したあと、コンテンツがどのビデオアプリケーションなのか判断するための情報を物理レベルから取得する必要が無く、論理レベルで判別できるようにしたので、ビデオアプリケーションの処理を再生装置で容易に切り替えられる。
【００３６】
また、ビデオアプリケーションの識別情報を有することで、インターネット経由で送信されるビデオアプリケーションを判別することができ、所定の変調方式で情報記録媒体に格納することも可能である。
【００３７】
特に、復調処理後のビデオアプリケーションが伝送されてきた場合、或いは、コピーコンテンツとして受けたような場合、機能通常版ビデオアプリケーションと機能制限版ビデオアプリケーションの区別が容易に可能となる。
【００３８】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００３９】
【図１】図１は本発明が適用された情報記録媒体再生装置の動作概要を示すイメージ図である。
【図２】図２は本発明の再生装置を示すブロック図である。
【図３】図３は本発明における情報記録媒体１に記録される情報内容について説明する図である。
【図４】図４は本発明に係るビデオ・マネージャ（VMG）記録領域３０の機能通常版と、機能限定版のビデオアプリケーションコンテンツの内容を比較説明する図である。
【図５】図５は本発明におけるビデオ・マネージャ情報（VMGI）３１の機能通常版と、機能限定版のビデオアプリケーションコンテンツの内容を比較説明する図である。
【図６】図６は本発明における主要な情報であるビデオアプリケーション識別情報を示す図である。
【図７】図７は本発明のビデオアプリケーション識別情報を用いた識別フロー図である。
【符号の説明】
【００４０】
１・・・情報記録媒体、２ａ，２ｂ・・・コンテンツ、３ａ・・・Ａ変調方式，３ｂ・・・Ｂ変調方式、５ａ，５ｂ・・・復調処理、２０・・・制御ブロック、３０・・・再生ブロック、１０・・・リードイン領域、１２・・・データ領域、２０・・・ビデオデータ記録領域、３０・・・ビデオ・マネージャ記録領域（VMG: Video Manager）、４０・・・ビデオ・タイトル・セット記録領域（VTS: Video Title Set）。
【図１】
2009266293.tif 000003
【図２】
2009266293.tif 000004
【図３】
2009266293.tif 000005
【図４】
2009266293.tif 000006
【図５】
2009266293.tif 000007
【図６】
2009266293.tif 000008
【図７】
2009266293.tif 000009
【手続補正書】
【提出日】平成21年6月5日(2009.6.5)
【手続補正１】
【補正対象書類名】特許請求の範囲
【補正対象項目名】全文
【補正方法】変更
【補正の内容】
【特許請求の範囲】
【請求項１】
第１のビデオアプリケーションによる第１のビデオアプリケーションコンテンツと、前記第１のビデオアプリケーションが基本となりこの第１のビデオアプリケーションが有するビデオ・マネージャ・メニューを処理するための機能を制限されている第２のビデオアプリケーションによる第２のビデオアプリケーションコンテンツとのいずれか一方が記録された情報記録媒体から情報を読み取り、前記第１と第２のビデオアプリケーションコンテンツのいずれをも読み出すことが可能な再生方法において、
前記情報記録媒体には、記録されたビデオアプリケーションコンテンツが第１、第２のビデオアプリケーションのうち、いずれに対応するものであるかを判別する識別フラグを管理情報内に記録しておき、
前記再生方法は、前記識別フラグを判別して前記第１のビデオアプリケーションコンテンツが記録されている情報記録媒体を認識したときは前記第1のビデオアプリケーションに基づく情報再生を実行し、前記第２のビデオアプリケーションコンテンツが記録されている情報記録媒体を認識したときは前記第１のビデオアプリケーションが有する前記ビデオ・マネージャ・メニューを処理するための機能を制限した前記第２のビデオアプリケーションに基づく情報再生を実行することを特徴とする情報再生方法。
【請求項２】
前記第１と第２のビデオアプリケーションコンテンツは、前記情報記録媒体に異なる変調方式で変調されて記録された情報であることを特徴とする請求項１記載の情報再生方法。
【請求項３】
情報記録媒体には、第１のビデオアプリケーションによる第１のビデオアプリケーションコンテンツと、前記第１のビデオアプリケーションが基本となりこの第１のビデオアプリケーションが有するビデオ・マネージャ・メニューを処理するための機能を制限されている第２のビデオアプリケーションによる第２のビデオアプリケーションコンテンツとのいずれか一方が記録されており、また記録されたビデオアプリケーションコンテンツが第１、第２のビデオアプリケーションのうち、いずれに対応するかを判別する識別フラグを管理情報内に記録されており、前記第１と第２のビデオアプリケーションコンテンツは、互いに異なる変調方式で変調されて記録されており、
前記第１と第２のビデオアプリケーションコンテンツのいずれも読取ることができる情報再生装置において、
読取った前記第１または第２のビデオアプリケーションコンテンツの管理情報を読取る読み取り手段と、
前記管理情報の中のビデオアプリケーションを識別した識別フラグの内容が、第１と第２のビデオアプリケーションのいずれを示しているか判定するアプリケーション判定手段と、
アプリケーション判定手段の結果が前記第１のビデオアプリケーションコンテンツが記録されている情報記録媒体を認識したときは前記第1のビデオアプリケーションに基づく情報再生を実行し、前記第２のビデオアプリケーションコンテンツが記録されている情報記録媒体を認識したときは前記第１のビデオアプリケーションが有する前記ビデオ・マネージャ・メニューを処理するための機能を制限した前記第２のビデオアプリケーションに基づく情報再生を実行するアプリケーション実行手段と、
を具備したことを特徴とする情報再生装置。
【手続補正３】
【補正対象書類名】明細書
【補正対象項目名】０００８
【補正方法】変更
【補正の内容】
【０００８】
この発明は上記の目的を達成するために、第１のビデオアプリケーションによる第１のビデオアプリケーションコンテンツと、前記第１のビデオアプリケーションが基本となりこの第１のビデオアプリケーションが有するビデオ・マネージャ・メニューを処理するための機能を制限されている第２のビデオアプリケーションによる第２のビデオアプリケーションコンテンツとのいずれか一方が記録された情報記録媒体から情報を読み取り、前記第１と第２のビデオアプリケーションコンテンツのいずれをも読み出すことが可能な再生方法において、前記情報記録媒体には、記録されたビデオアプリケーションコンテンツが第１、第２のビデオアプリケーションのうち、いずれに対応するものであるかを判別する識別フラグを管理情報内に記録しておき、前記再生方法は、前記識別フラグを判別して前記第１のビデオアプリケーションコンテンツが記録されている情報記録媒体を認識したときは前記第1のビデオアプリケーションに基づく情報再生を実行し、前記第２のビデオアプリケーションコンテンツが記録されている情報記録媒体を認識したときは前記第１のビデオアプリケーションが有する前記ビデオ・マネージャ・メニューを処理するための機能を制限した前記第２のビデオアプリケーションに基づく情報再生を実行することを特徴とする。